(57)【要約】【課題】奥二重での覆い被さった瞼を持ち上げながら支えることができ、かつ、長時間使用することができると共に、使用時の異物感を緩和することが可能であり、使用中は自然な二重瞼を形成することが可能な二重瞼形成用テープを提供すること。【解決手段】互いに貼り合わせられた２層の細長帯状の基材を備え、ポリエチレン４からなる一方の基材はポリエステル１６から他方の基材よりも柔軟な素材によって構成され、他方の基材は、一方の基材よりも長手方向が短く、一方の基材の長手方向中心部のみに貼り合わせられており、一方の基材は瞼の動きによって伸縮する素材により構成され、他方の基材は瞼の動きによっては伸縮することのない素材によって構成するようにする。【選択図】図１
2017217424.tif 000002
【特許請求の範囲】
【請求項１】
少なくとも片面に粘着剤層が設けられ、瞼に貼付して使用する二重瞼形成用テープであって、
当該二重瞼形成用テープは、互いに貼り合わせられた２層の細長帯状の基材を備え、
一方の基材は他方の基材よりも柔軟な素材によって構成され、前記他方の基材は、前記一方の基材よりも長手方向が短く、当該一方の基材の長手方向中心部のみに貼り合わせられていることを特徴とする二重瞼形成用テープ。
【請求項２】
前記一方の基材は瞼の動きによって伸縮する素材により構成され、前記他方の基材は瞼の動きによっては伸縮することのない素材によって構成されていることを特徴とする請求項１に記載の二重瞼形成用テープ。
【請求項３】
前記二重瞼形成用テープは、長手方向の両端部が前記一方の基材のみによって構成されていることを特徴とする請求項１又は請求項２に記載の二重瞼形成用テープ。
【請求項４】
前記一方の基材と前記他方の基材とは、短手方向が同幅に構成されて、当該同幅の縁部が一致していることを特徴とする請求項１乃至請求項３うち、いずれか１に記載の二重瞼形成用テープ。
【請求項５】
前記二重瞼形成用テープは、外周縁と内周縁によってアーチ状に湾曲した形状であり、前記外周縁の弧の中心角と前記内周縁の弧の中心角は、前記外周縁の弧の中心角の方が大きいことを特徴とする請求項１乃至請求項４うち、いずれか１に記載の二重瞼形成用テープ。
【請求項６】
前記二重瞼形成用テープは、瞼の二重ラインに沿うように前記外周縁の弧が湾曲していることを特徴とする請求項５に記載の二重瞼形成用テープ。
【請求項７】
前記二重瞼形成用テープは、前記一方の基材が配された側の表面が瞼の眼球側に位置し、前記他方の基材が配された側の表面が瞼の眼球側とは反対側に配されることを特徴とする請求項１乃至請求項６うち、いずれか１に記載の二重瞼形成用テープ。
【請求項８】
前記二重瞼形成用テープは、両面に粘着剤層が設けられていることを特徴とする請求項１乃至請求項７うち、いずれか１に記載の二重瞼形成用テープ。
【発明の詳細な説明】
【技術分野】
【０００１】
本発明は、二重瞼を形成する二重瞼形成用テープに関し、特に、剥がれづらく、長時間の使用で異物感を感じない二重瞼形成用テープに関する。
【背景技術】
【０００２】
従来より二重瞼を形成するための手段として、片面又は両面に接着剤を塗布したフィルムから成るテープを瞼に貼り付けて、二重瞼を形成する二重瞼形成用テープが知られている。
【０００３】
二重瞼形成用テープは、例えば、奥二重等での覆い被さった瞼を持ち上げるために硬い基材が用いられている。硬い基材としては、ポリエステル等が使用されている。
【０００４】
特許文献１には、粘着シートを簡単かつ精度良く貼り付けることのできる二重まぶた形成具が開示されている。
【０００５】
また、特許文献２には、二重まぶたを容易に形成可能な二重まぶた形成シートが開示されている。
【０００６】
特許文献１及び特許文献２の二重まぶた形成シートは、粘着テープ、薄膜状であり、硬く、曲げ易い材質が使用される。さらに粘着テープは、まぶた表面に貼り付けた際に目立たないように、透明又は半透明あるいは人肌色の材質が用いられる。材質は、例えば樹脂系のポリエステル、ポリエチレン、ポリウレタン、ペット樹脂、ポリオレフィン、アセテートなどである。
【０００７】
また、特許文献１及び特許文献２の粘着テープは、外周縁及び内周縁を有する円弧状に設定されており、粘着テープ中央部における外周縁と内周縁との間の長さは、１．５ｍｍの帯状を形成している。
【０００８】
特許文献３には、まぶたに貼る前に二重まぶた用テープの接着力を弱めないようにした二重まぶた用テープが開示されている。特許文献３に開示された二重まぶた用テープは、まぶたに貼る基部の片面に接着剤を付した主テープ部の一端に、外面に接着剤を備えない取手を切断し易い状態で接続するようになっている。
【０００９】
特許文献４には、非延伸性ストリップ材からなる二重まぶた形成品が開示されている。特許文献４に開示された二重まぶた形成品は、非延伸性ストリップ材、その非延伸性ストリップ材の少なくとも片面に設けられた粘着剤層、及び、その粘着剤層上に設けられた保護層及び把持部層を有して成り、二重まぶた形成品の両端側に把持部層が位置付けられる一方、その両端側よりも内側に保護層が位置付けられており、保護層と把持部層とが非面一となっている
【００１０】
特許文献５には、治具やハサミを必要とせず、安全にきれいな二重まぶたを形成する二重まぶた形成用粘着シートが開示されている。
【００１１】
特許文献５によれば、細長い基材の一面側に粘着剤層を形成すると共に他面側にも介在粘着剤層を形成している。この介在粘着剤層によって基材を細長い支持材の中央部位に位置させる。基材は伸長性の低い材料で形成し、一方、支持材は基材よりも伸長性の大きな材料で形成している。支持材の両端部を把持し、基材の粘着剤層をまぶたの上に位置させ、支持材を伸長させて基材を殆ど剥離状態にしながら、未だ支持材に保持されている状態にする。支持材を引張り、基材をまぶたに向かって押込み、ひだを形成し、このひだを接着して二重まぶたを形成する。基材を接着後、支持材を瞼から取り除き、基材のみでまぶたを支えるようにする。
【先行技術文献】
【特許文献】
【００１２】
【特許文献１】実登３１１９１６２号公報
【特許文献２】実登３１５４１３９号公報
【特許文献３】特開２００５−３３４１０８号公報
【特許文献４】特開２０１４−５４５１９号公報
【特許文献５】特開２００９−２２５９２号公報
【発明の概要】
【発明が解決しようとする課題】
【００１３】
二重瞼について、その形態として、奥二重が知られている。奥二重とは、本来ある二重線（重瞼線）に瞼が覆い被さった状態をいう。即ち、二重線が隠れていて、外部から見えにくくなっている状態である。奥二重での二重瞼形成用テープによる二重瞼を形成する際には、瞼にくい込ませるよりも、被さった瞼を持ち上げることが重要となる。尚、日本人の約２５％が奥二重と言われている。
【００１４】
特許文献１、特許文献２、特許文献４及び特許文献５は、硬い基材であるポリエステル、ポリプロピレンを用いている。しかしながら、脂肪分の多い腫れぼったい東アジア人の湾曲した瞼では、長時間貼り付けていると目尻、目頭の両端より、二重瞼形成テープが浮いてしまって剥がれることがある。これにより、硬い基材の浮いた部分がチクチクするなどの使用上の不具合となる恐れもある。
【００１５】
また、粘着テープの基材にポリエステル等の硬い素材のみを使用した二重瞼形成用テープは、装着して使用中に、復元力により両端が浮いてきて、剥がれる恐れがある。
【００１６】
また、二重瞼形成テープの両端が浮かないように、強力な粘着剤で瞼に貼着することもできる。しかしながら、強力な粘着剤を用いることにより、使用者が二重瞼形成テープを剥がす際に上瞼の角質層を剥がしてしまうなどの角質剥離などの皮膚に影響を与える恐れもある。
【００１７】
また、特許文献１、特許文献２の二重瞼形成用テープは、幅１．５ｍｍから２．０ｍｍ程度で硬い素材（ポリエステルやポリプロピレン）を使用したものである。しかしながら、特許文献１、特許文献２の部材は、硬い素材を使用しているため、まばたき等に伴う部材の柔軟な動きができない恐れがある。
【００１８】
また、特許文献４、特許文献５における二重瞼形成品は、非延伸性ストリップ材からなり、収縮性に乏しい硬い素材（ポリエステルやポリプロピレン）を用いているため、瞼のまばたきの動きによって、湾曲した上瞼の上では長時間高密着することができない恐れがあった。
【００１９】
即ち、二重瞼形成用テープを張り付ける上瞼は、1回のまばたきの平均時間が１００ｍ秒〜１５０ｍ秒とされており、それを1分間に大人で十数回行うため、かつ、瞼は人間の皮膚の中で最も薄い部位であることとも相まって、上瞼には非常に繊細な動きが求められる。この上瞼の動きを阻害してしまうような力が加わることを防止することが求められる。
【００２０】
また、特許文献３は、二重まぶた用テープの素材に関する記載はないものの、仮に収縮性に乏しい硬い素材（ポリエステルやポリプロピレン）を用いるのであれば、上記特許文献１、特許文献２、特許文献４及び特許文献５と同様の種々の不具合が生じる。また、仮にポリエチレン等の柔らかい素材によって二重まぶた用テープを構成した場合は、その柔軟性から奥二重を支えることが出来ない恐れがある。
【００２１】
そこで本発明の二重瞼形成用テープは、奥二重等での覆い被さった瞼を持ち上げながら支えることができ、更に、長時間使用することができ、使用時の異物感を緩和することが可能であって、使用中は自然な二重瞼を形成することが可能な二重瞼形成用テープを提供することを目的とする。
【課題を解決するための手段】
【００２２】
上記目的達成のため、本発明の二重瞼形成用テープは、少なくとも片面に粘着剤層が設けられ、瞼に貼付して使用する二重瞼形成用テープであって、当該二重瞼形成用テープは、互いに貼り合わせられた２層の細長帯状の基材を備え、一方の基材は他方の基材よりも柔軟な素材によって構成され、前記他方の基材は、前記一方の基材よりも長手方向が短く、当該一方の基材の長手方向中心部のみに貼り合わせられていることを特徴とする。
【００２３】
また、本発明の二重瞼形成用テープは、前記一方の基材は瞼の動きによって伸縮する素材により構成され、前記他方の基材は瞼の動きによっては伸縮することのない素材によって構成されていることを特徴とする。 
【００２４】
また、本発明の二重瞼形成用テープは、長手方向の両端部が前記一方の基材のみによって構成されていることを特徴とする。 
【００２５】
また、本発明に係る二重瞼形成用テープは、前記一方の基材と前記他方の基材とは、短手方向が同幅に構成されて、当該同幅の縁部が一致していることを特徴とする。 
【００２６】
また、本発明の二重瞼形成用テープは、外周縁と内周縁によってアーチ状に湾曲した形状であり、前記外周縁の弧の中心角と前記内周縁の弧の中心角は、前記外周縁の弧の中心角の方が大きいことを特徴とする。 
【００２７】
本発明の二重瞼形成用テープは、瞼の二重ラインに沿うように前記外周縁の弧が湾曲していることを特徴とする。
【００２８】
本発明の二重瞼形成用テープは、前記一方の基材が配された側の表面が瞼の眼球側に位置し、前記他方の基材が配された側の表面が瞼の眼球側とは反対側に配されることを特徴とする。
【００２９】
本発明の二重瞼形成用テープは、両面に粘着剤層が設けられていることを特徴とする。
【発明の効果】
【００３０】
本発明によれば、二重瞼形成用テープは、互いに貼り合わせられた２層の細長帯状の基材を備え、一方の基材は瞼の動きによって伸縮する素材（より柔軟な素材）により構成され、他方の基材は瞼の動きによっては伸縮することのない素材（一方の基材よりも柔軟でない素材）によって構成されているため、開眼状態では、瞼の動きによっては伸縮することのない他方の基材によって、覆い被さる瞼を支え、閉眼状態では、瞼の動きによって伸縮する基材により、延びた瞼の皮膚に合わせて、伸縮する。従来のように伸縮することのない素材のみを使用した二重瞼形成用テープでは、瞼の両端にチクチク感を感じる。本発明の二重瞼形成用テープは、長手方向の両端部に伸縮する素材が配されているため、瞼の動きによって瞼の両端に配された素材が伸縮するため、瞼の両端でのチクチク感を解消することができる。これにより、使用者は、違和感を感じことがなく、自然な二重瞼を形成することが可能となる。
【００３１】
また、本発明の二重瞼形成用テープは、互いに貼り合わせられた２層の細長帯状の基材を備え、一方の基材は他方の基材よりも柔軟な素材によって構成され、他方の基材は、一方の基材よりも長手方向が短く、一方の基材の長手方向中心部のみに貼り合わせられており、長手方向の両端部が一方の基材のみによって構成されているため、柔軟な一方の基材を貼り合わせることにより、伸縮することのない他方の基材の復元作用を緩和することが可能となり、硬いに基材のみを使用した二重瞼形成用テープのように、使用中に両端が浮いてきて剥がれることがなく、長時間装着して使用することが可能である。
【００３２】
更に、本発明の二重瞼形成用テープは、長手方向の両端部が伸縮する一方の基材のみによって構成されているため、一方の基材の両端の保持（固定）によって伸縮しない他方の基材の両端が復元力によって使用中に浮いてきて剥がれることが、より防止される。
【００３３】
また、本発明の二重瞼形成用テープは、外周縁と内周縁によってアーチ状に湾曲した形状であり、瞼の二重ラインに沿うように外周縁の弧が湾曲しており、更に、目尻、目頭など目の両端部分は、より柔らかい素材からなる一方の素材が配されているため、瞼の動きによって一方の素材が伸縮するため、細い二重線を形成して自然な印象を醸し出すことができる。
【００３４】
また、本発明の二重瞼形成用テープは、伸縮することがないため不快に感じる基材の大きさを、小さくすることが可能であるため、瞼の違和感を和らげることが可能である。さらに、柔軟な素材から成る基材を、伸縮しない基材の左右に設けることにより、個々に相違する目の形状（瞼の形状）に合わせて、貼り方を変更し、自然で綺麗な二重瞼を形成することが可能である。
【００３５】
また、本発明の二重瞼形成用テープは、伸縮テープの長手方向の中心に非伸縮層を設けたことにより、奥二重での覆い被さった瞼を持ち上げながら支えることができ、更に、目尻、目頭など目の両端部分は、より柔らかい素材からなる一方の素材により細い二重線（重瞼線）が形成することが可能である。
【図面の簡単な説明】
【００３６】
【図１】二重瞼形成用テープの構成を示す図であり、（ａ）は長手方向に沿って切断した断面図、（ｂ）は平面図、（ｃ）は、複数の二重瞼形成用テープを粘着面保護シートに貼着した図である。
【図２】二重瞼形成用テープの大きさを示す図であり、（ａ）は平面図、（ｂ）は展開斜視図である。
【図３】二重瞼形成用テープの使用方法を説明する図である。
【図４】二重瞼形成用テープの使用方法を説明する図であり、図３に示す使用方法の続きを示す。
【図５】二重瞼形成用テープを瞼に装着した状態における、瞼の開眼状態及び閉眼状態を説明する図であり、図５（ａ）は、瞳の開眼状態、図５（ｂ）は、瞳の閉眼状態を示す。
【図６】平面視で二重瞼形成用テープを奥二重に装着した状態を説明する断面図である。
【図７】従来の二重瞼形成用テープと本発明の二重瞼形成用テープとの瞼の装着状態との比較を説明する正面図であり、（ａ）は、従来の二重瞼形成用テープの瞼の装着状態を示し、（ｂ）は、本発明の二重瞼形成用テープの瞼の装着状態を示す。
【発明を実施するための形態】
【００３７】
以下、図面を参照して、本発明による二重瞼形成用テープを実施するための形態について説明する。本発明に係る二重瞼形成用テープは、互いに貼り合わせられた２層の細長帯状の基材を備え、一方の基材は他方の基材よりも柔軟な素材によって構成され、他方の基材は、一方の基材よりも長手方向が短く、一方の基材の長手方向中心部のみに貼り合わせられており、一方の基材は瞼の動きによって伸縮する素材により構成され、他方の基材は瞼の動きによっては伸縮することのない素材（伸縮しにくい素材）によって構成したものである。
【００３８】
これによって、奥二重での覆い被さった瞼を持ち上げながら支えることができ、更に、長時間使用することができ、使用時の異物感を緩和することができる。
【００３９】
図１（ａ）は、二重瞼形成用テープの構成を示す長手方向に沿って切断した断面図、図１（ｂ）は、二重瞼形成用テープの平面図、図１（ｃ）は、複数の二重瞼形成用テープを粘着面保護シートに貼着した図である。図１（ａ）に示すように、二重瞼形成用テープ１は、細長帯状の基材４の両面に粘着剤層５、６が設けられた伸縮テープ３と、粘着剤層５を覆う粘着面保護基材２５とを備えている。伸縮テープ３の基材として、伸縮性を有するポリエチレン４が好適であり、ポリエチレン４の両面に粘着剤層５、６が塗布されている。
【００４０】
また、図１（ａ）及び図１（ｂ）に示すように、伸縮テープ３の片面の粘着剤層６における長手方向の中心に、瞼の動きによって伸縮しない非伸縮性の基材からなる非伸縮層１５が粘着剤層６を介して積層されて剥離不能に固定されている。尚、非伸縮とは、外から力が加わっても伸縮が少ないことをいい、伸縮しにくいことも含むものとする。本発明においては、例えば、瞼の貼着時に瞼の形状に沿って湾曲しつつ、瞬き時には変形することなしに十分に瞼を支えることも非伸縮を意味する。
【００４１】
図１（ｂ）に点線で示す非伸縮層１５の基材として、非伸縮層を有するポリエステル１６が好適で有り、ポリエステル１６は、粘着剤層６を介して伸縮テープ３の一方の面と密着している。また、非伸縮層１５の基材としてのポリエステル１６は、伸縮テープ３側と反対の表面に粘着剤層１７が塗布されている。
【００４２】
また、図１（ｂ）に示すように、二重瞼形成用テープ１は、伸縮テープ３がアーチ状に湾曲した形状であり、非伸縮層１５の両端部には伸縮部１８を有している。非伸縮層１５の両脇に位置する伸縮部１８は、伸縮テープ３における非伸縮層１５が積層されていない箇所であり、これにより、瞼に貼付した際に、瞼の動きによって伸縮することが可能である。また、伸縮テープ３と非伸縮層１５とは、短手方向が同幅に構成されて、同幅の縁部が一致している。
【００４３】
このように、二重瞼形成用テープ１は、伸縮テープ３は非伸縮層１５よりも柔軟な素材によって構成され、非伸縮層１５は、伸縮テープ３よりも長手方向が短く、伸縮テープ３の長手方向中心部のみに貼り合わせられている。
【００４４】
また、図１（ａ）に示すように、粘着面保護基材２５としての剥離紙２６は、矩形状を成し、伸縮テープ３の全面を覆うように設けられている。
【００４５】
また、図１（ａ）及び図１（ｃ）に示すように、二重瞼形成用テープ1は、非伸縮層１５の粘着剤層１７とを介して剥離可能な状態で密着する粘着面保護シート２０上に複数載置されている。
【００４６】
以下に、二重瞼形成用テープ1を構成する部材について説明する。
【００４７】
伸縮テープ３における基材の材質は、ポリエチレン４が好適である。ポリエチレン４は、密度範囲によって、高密度ポリエチレン、中密度ポリエチレン、低密度ポリエチレンに分類される。これらの内、低密度ポリエチレンが最も好適である。
【００４８】
高密度ポリエチレン及び中密度ポリエチレンを用いた場合には装着感にゴロゴロ感が出てしまうのに対し、低密度ポリエチレンを用いることにより非常に優れたフィット感を得ることができる。
【００４９】
伸縮テープ３における基材としてのポリエチレン４の厚さは、特に好適には５０〜８０μｍであり、より好適には４０〜９０μｍであり、好適には２０〜１００μｍである。
【００５０】
尚、基材４としての材質は、ポリエチレン以外に、ポリウレタン、レーヨン不織布であってもよい。
【００５１】
伸縮テープ３等に用いる粘着剤層５、６、１７における粘着成分は、使用時における瞼への付着適合性と、油脂、汗及び涙への耐付着低減性（持続性）を有することが求められる。
【００５２】
このような性質を有する粘着性の材質として、ポリエチレンが好適である。基材４がポリエチレンである場合には、アクリル系粘着剤を主成分とし、その他の成分として粘着付与剤を含有する粘着成分が好適である。
【００５３】
アクリル系粘着剤は、アクリル酸、アクリル酸メチル、アクリル酸エチル、アクリル酸ブチル、アクリル酸２-エチルヘキシル、アクリル酸イソブチル、アクリル酸イソオクチルなどを構成モノマーとしたものである。また、アクリル系以外の粘着剤では、シリコーン系粘着剤であってもよい。
【００５４】
伸縮テープ３に用いる粘着成分（粘着成分層）の厚さは、前述した持続性を有する等の性質に影響を与えるため、性質を満たすように選定する。そのため、粘着成分の厚さは、特に好適には１５〜４５μｍであり、より好適には１０〜５５μｍであり、好適には５〜６５μｍである。
【００５５】
また、基材及び粘着成分とを合わせた伸縮テープ３の厚さは、前述した性質を与えるため、性質を満たすように選定する。そのため、伸縮テープ３の厚さは、特に好適には６５〜１１５μｍであり、より好適には５０〜１４５μｍであり、好適には２５〜１６５μｍである。
【００５６】
例えば、基材としてのポリエチレン４の厚さが、７５μｍを用いた伸縮テープ３の厚さは、１６０μｍである。
【００５７】
図１（ａ）及び（ｂ）に示すように、非伸縮層１５としてのポリエステル１６は、伸縮テープ３とは、短手方向が同幅に構成されて、同幅の縁部が一致している。また、非伸縮層１５は、伸縮テープ３よりも長手方向が短く、伸縮テープ３の長手方向中心部のみに貼り合わせられており、粘着剤層６を介して伸縮テープ３の表面を覆っている。
【００５８】
非伸縮層１５の基材であるポリエステル１６は、瞼の貼着時に瞼の形状に沿って湾曲しつつ、瞬き時には、変形することなしに瞼を支えるに十分な非伸縮性があれば足りる。
【００５９】
また、非伸縮層１５は、伸縮テープ３側と反対側の表面が粘着剤層１７を介して粘着面保護シート２０に覆われている。
【００６０】
このように、基材としてのポリエステル１６は、粘着面保護シート２０間に設けられた粘着剤層１７とにより非伸縮層１５を形成している。
【００６１】
非伸縮層１５における基材としてのポリエステル１６の厚さは、特に好適には１５〜３０μｍであり、より好適には１０〜５０μｍであり、好適には５〜７５μｍである。
【００６２】
非伸縮層１５に用いる粘着成分（粘着成分層）の厚さは、前述した持続性を有する等の性質に影響を与えるため、性質を満たすように選定する。そのため、粘着成分の厚さは、特に好適には１５〜４５μｍであり、より好適には１０〜５５μｍであり、好適には５〜６５μｍである。
【００６３】
また、基材であるポリエステル１６及び粘着成分とを合わせた非伸縮層１５の厚さは、前述した持続性を有する等の性質を与えるため、性質を満たすように選定する。そのため、非伸縮層１５の厚さは、特に好適には３０〜７５μｍであり、より好適には２０〜１０５μｍであり、好適には１０〜１３０μｍである。
【００６４】
例えば、ポリエステル１６の厚さが、２３μｍを用いた非伸縮層１５の厚さは、９０μｍである。
【００６５】
また、伸縮を防止するための非伸縮層を有する材質は、ポリエステル１６以外に、不織布片面テープ、ＯＰＰ（オリエンテッドポリプロピレン）片面テープであってもよい。
【００６６】
図１（ａ）に示すように、粘着面保護基材２５としての剥離紙２６は、粘着剤層５を汚れ等から保護するものである。二重瞼形成用テープ１を使用する際には、伸縮テープ３から剥離紙２６を剥がすようにする。
【００６７】
また、図１（ｃ）に示すように、粘着面保護シール２０としての剥離紙２１は、非伸縮層１５の粘着剤層１７を汚れ等から保護するものである。剥離紙２１の表面には、縦横それぞれの間隔で配列された多数の二重瞼形成用テープ１が粘着剤層１７を介して貼着されている。また、二重瞼形成用テープ１を使用する際には、多数の二重瞼形成用テープ１を貼着した剥離紙２１から二重瞼形成用テープ１を切り離すようにする。
【００６８】
粘着面保護シート２０の剥離紙２１及び粘着面保護基材２５の剥離紙２６の材質は、
ＦＥＰ（フッ化エチレンプロピレン）、ＰＴＦＥ（ポリテトラフルオロエチレン）、ＰＶＦ（ポリビニルフロライド）、ＥＣＴＦＥ（クロロトリフルオロエチレンーエチル共重合体）、紙、プラスチックフィルムの片面、両面にシリコーンやフッ素樹脂などを塗布した剥離処理剤のいずれかであってもよい。
【００６９】
また、粘着面保護シート２０の剥離紙２１及び粘着面保護基材２５の剥離紙２６の厚さは、特に好適には０．５〜１０μｍであり、より好適には０．３〜２５μｍであり、好適には０．１〜５０μｍである。
【００７０】
更に、粘着面保護基材２５としての剥離紙２６の表面（伸縮テープ３と接触する面）には、伸縮テープ３の粘着剤層５と干渉し難くなるような鏡面加工等の表面加工を施すことが好適である。剥離紙２６の表面を平滑となるよう加工することで、剥離紙２６を伸縮テープ３から容易に剥がすことができる。
【００７１】
このように、伸縮テープ３と粘着面保護基材２５との密着力は、伸縮テープ３と非伸縮層１５との間の粘着剤層６を介した密着力よりも弱くなっている。
【００７２】
また、粘着面保護シール２０としての剥離紙２１の表面（非伸縮層１５と接触する面）は、非伸縮層１５の粘着剤層１７と干渉し難くなるような鏡面加工等の表面加工を施すことが好適である。剥離紙２１の表面を平滑となるよう加工することで、剥離紙２１を非伸縮層１５から容易に剥がすことができる。尚、図１（ａ）では、粘着面保護シール２０と伸縮テープ３の粘着剤層６とは分離しているが、粘着面保護シール２０と伸縮テープ３の粘着剤層６とを密着するようにしてもよい。
【００７３】
このように、非伸縮層１５と粘着面保護シート２０との密着力は、伸縮テープ３と非伸縮層１５との間の粘着剤層６を介した密着力よりも弱くなっている。
【００７４】
次に、図２を用いて、二重瞼形成用テープ1の大きさを説明する。図２は、二重瞼形成用テープの大きさを示す図であり、（ａ）は平面図、（ｂ）は展開斜視図である。
二重瞼形成用テープ１は、外周縁と内周縁によってアーチ状に湾曲した形状であり、外周縁の弧の中心角と内周縁の弧の中心角は、外周縁の弧の中心角の方が大きくなっている。二重瞼形成用テープ１は、瞼の二重ラインに沿うように外周縁の弧が湾曲している。
【００７５】
図２（ａ）に示すように、二重瞼形成用テープ1の粘着面保護シート２０を除いた伸縮テープ３の外周縁３ａにおける長手方向の長さＬ１は、例えば、２６ｍｍであり、日本人の目の横径は、１６才以上の男女とも２６ｍｍ前後いわれている。これにより、二重瞼形成用テープ1の長手方向の長さは、２６ｍｍが好適である。また、伸縮テープ３の内周縁３ｂにおける長手方向の長さＬ４は、例えば、２４ｍｍである。
【００７６】
また、図２（ａ）に示すように、二重瞼形成用テープ1の点線で示す非伸縮層１５の外周縁１５ａにおける長手方向の長さＬ２は、２３ｍｍである。非伸縮層１５の内周縁１５ｂにおける長手方向の長さＬ３は、２０ｍｍであり、非伸縮層１５の長さは、目の横方向の長さに相当する伸縮テープ３の長さＬ１よりも、短くなるように設定する。
【００７７】
また、図２（ｂ）に示すように、二重瞼形成用テープ1は、粘着面保護シート２０としての剥離紙２１の表面の中央部に、伸縮しにくいポリエステル１６からなる非伸縮層１５と、伸縮するポリエチレン４とが貼り合されて固定されてなる伸縮テープ３と、粘着面保護基材２５としての剥離紙２６とが順に積層されている。
【００７８】
また、図２（ａ）に示すように、二重瞼形成用テープ1の幅Ｗ１は、１．２から２．０ｍｍが好適である。二重瞼形成用テープ1の幅が狭すぎると、二重瞼形成用テープ1の粘着面が面積が少なくなり、十分な密着力及び上瞼を支える十分な保持力が得られないことがある。一方、二重瞼形成用テープ1の幅が広すぎると、装着時に違和感を覚える恐れがある。
【００７９】
また、伸縮テープ（一方の基材）３と非伸縮層（他方の基材）１５とは、短手方向が同幅に構成されて、同幅の縁部が一致している。
【００８０】
また、図２（ａ）に示すように、二重瞼形成用テープ1を貼付した粘着面保護シート２０としての剥離紙２１の長さＬ５は、５０ｍｍであり、粘着面保護シート２０の幅Ｗ２は、伸縮テープ３の短辺方向の全域を含む長さ以上となるように設定する。一方、図１（ｃ）に示すように、粘着面保護シート２０上に複数の二重瞼形成用テープ1が載置されている場合には、例えば、図１（ｃ）では、粘着面保護シート２０の長さを２×Ｌ５、幅を１０×Ｗ２以上となるように設定する。
【００８１】
尚、図２に示した二重瞼形成用テープ1の大きさは、１例であり、これに限定するものではない。
【００８２】
このように、二重瞼形成用テープ１は、基材としてのポリエチレン４の両面に粘着剤層５、６が塗布されており、ポリエチレン４の長手方向の中心に非伸縮層１５としてのポリエステル１６が貼り付けられて固定されている構造となっている。
【００８３】
次に、二重瞼形成用テープの使用方法について図３及び図４を用いて説明する。図３は、二重瞼形成用テープの使用方法を説明する図、図４は、二重瞼形成用テープの使用方法を説明する図であり、図３に示す使用方法の続きを示す。
【００８４】
二重瞼形成用テープ１は、伸縮テープ３の基材であるポリエチレン４が配された側の表面が瞼の眼球側に位置し、非伸縮層１５の基材としてのポリエステル１６が配された側の表面が瞼の眼球側とは反対側となるように使用する。
【００８５】
最初に、図３（ａ）に示すように、複数の二重瞼形成用テープ１が貼着された粘着面保護シート２０から一つの二重瞼形成用テープ１を切り離す。その後、図３（ｂ）に示すように、剥離紙２６を伸縮テープ３から剥がす。
【００８６】
次に、図３（ｃ）に示すように、粘着面保護シート２０の剥離紙２１の両端を持って、二重瞼形成用テープ1をピンと張った状態で、目の形状に合わせながら、二重瞼を形成するライン（奥二重の場合は奥二重のひだの内部）に沿って、非伸縮層１５のポリエステル１６が瞼の左右の中央に位置するように押し当てて貼り付ける。
【００８７】
図４（ａ）に示すように、瞼に貼り付け後に、粘着面保護シート２０の剥離紙２１を剥がして、二重の上瞼を非伸縮層１５のポリエステル１６と接するように、また、二重の下瞼を伸縮テープ３のポリエチレン４と接するように整える。
【００８８】
その後、図４（ｂ）に示すように、瞼に二重瞼形成用テープ１の伸縮テープ３のポリエチレン４をプッシャー６０等で瞼内に収納するようにする。尚、伸縮テープ３を瞼に貼付する際には、眼球に近い皮膚側に、ポリエチレン４側が位置するようにして貼り付ける。即ち、図４（ｂ）の矢印で示す円内の図のように、上瞼を非伸縮層１５としてのポリエステル１６で支えるようにして、非伸縮層１５の反対側の面のポリエチレン４を下瞼に貼り付けるようにする。これは一重を二重にする場合または奥二重の場合を問わず同様である。
【００８９】
このように、二重瞼形成用テープ1は、使用時には、粘着面保護シート２０の剥離紙２１の両端を指で挟んで、重瞼形成用テープ１における非伸縮層１５及ぶ伸縮テープ３とを瞼に貼付する。
【００９０】
次に、二重瞼形成用テープを瞼に装着した状態について図５を用いて説明する。図５は、瞳の開眼状態及び閉眼状態における二重瞼形成用テープの機能を説明する図であり、図５（ａ）は、瞳の開眼状態、図５（ｂ）は、瞳の閉眼状態を示す。
【００９１】
瞳の開眼状態、即ち、眼を開いた状態では、瞼が上に持ち上げられて、瞼の皮膚が縮んだ状態であり、皮膚が引っ張られていない状態である。つまり、瞼が収縮して、瞼の皮膚が余って弛んだ状態となっている。例えば、厚い瞼、腫れぼったい瞼、奥二重瞼等の重量のある瞼（重い瞼）等では、上瞼を支えることができずに、垂れ下がった状態になることがある。
【００９２】
図５（ａ）に示すように、二重瞼形成用テープを使用した瞼は、瞳の開眼状態では、覆い被さる上瞼を非伸縮層１５としてのポリエステル１６で支えるようにして、瞼を持ち上げるように機能する。尚、図５（ａ）に示す二重瞼形成用テープ1は、瞳の開眼状態での正面から見たときの非伸縮層１５の状態を示し、矢印は、上瞼に貼付された非伸縮層１５に瞼の重みが加わる方向を示す。
【００９３】
このとき、上瞼に貼着されている二重瞼形成用テープの非伸縮層１５は、弛んだ状態の瞼の皮膚によって、瞼の重みが加わるようになるが、非伸縮層１５の非伸縮性によって、上瞼を支えている。これにより、厚い瞼、腫れぼったい瞼、奥二重瞼等の重量のある瞼（重い瞼）等では、上瞼を支えることができる。
【００９４】
一方、図５（ｂ）に示すように、瞼の閉眼状態、即ち、眼を閉じた状態では、瞼の皮膚がピンと延びた状態であり、皮膚が伸張した状態である。
【００９５】
また、前述したように、二重瞼形成用テープを張り付ける上瞼は、1回のまばたきの平均時間が１００ｍ秒〜１５０ｍ秒とされており、それを1分間に大人で十数回行うため、かつ、瞼は人間の皮膚の中で最も薄い部位であることとも相まって、上瞼には非常に繊細な動きが求められる。この上瞼の動きを阻害してしまうような力が加わることを防止することが求められる。
【００９６】
図５（ｂ）に示す二重瞼形成用テープ1は、瞼の閉眼状態での正面から見たときの伸縮テープ３の伸縮部１８の状態を示し、矢印は、伸縮部１８が引っ張られる方向を示す。このとき、延びた瞼の皮膚に合わせて、伸縮テープ３の伸縮部１８は矢印で示すように、左右に引っ張られて伸張する。このように、伸縮する基材であるポリエチレン４からなる伸縮部１８は、瞼の動きに合わせて伸縮する。
【００９７】
これにより、テープ両端の浮きや違和感を緩和することができる。また、瞼の閉眼時に完全に閉眼することが可能であるため、目尻、目頭など目のまわりの小皺や、ドライアイ（目の乾燥）などを防止することもできる。
【００９８】
次に、二重瞼形成用テープを奥二重に装着した例について図６及び図７を用いて説明する。尚、本発明の二重瞼形成用テープは、奥二重に限らず、一重瞼を二重瞼にする際にも、使用することができる。
【００９９】
図６は、平面視で二重瞼形成用テープを奥二重に装着した状態を説明する断面図であり、図６（ａ）は、伸縮テープにポリエステルのみを使用した二重瞼形成用テープを奥二重に装着した状態を示す断面図、図６（ｂ）は、伸縮テープにポリエチレンを使用し、非伸縮層であるポリエステルが粘着剤層を介して中心に固定された二重瞼形成用テープを瞼に装着した状態を示す断面図である。
【０１００】
図６（ａ）に示すように、伸縮テープにポリエステル７０のみを使用した二重瞼形成用テープは、瞼５１の奥二重５２の曲線に沿って貼着するため、硬い材質であるポリエステル７０の両端が復元力によって使用中に浮いてきて剥がれる恐れがある。
【０１０１】
一方、図６（ｂ）に示すように、伸縮テープ３にポリエチレン４を使用し、非伸縮層１５であるポリエステル１６が粘着剤層を介して中心に固定された二重瞼形成用テープ１は、ポリエステル１６の復元力をポリエチレン４全体で吸収するように作用する。
【０１０２】
そのため、柔らかいポリエチレン４が瞼５１の奥二重５２に密着することにより、伸縮テープ３にポリエステル７０のみを使用した二重瞼形成用テープのように、使用中に両端が浮いてきて剥がれることがなく、長時間装着して使用することが可能である。
【０１０３】
更に、非伸縮層１５の両脇の伸縮部１８を奥二重にくい込ませているため、伸縮部１８の保持（固定）によってポリエステル４の両端が復元力によって使用中に浮いてきて剥がれることがより防止される。
【０１０４】
図７は、従来の二重瞼形成用テープと本発明の二重瞼形成用テープとの瞼の装着状態との比較を説明する正面図であり、図７（ａ）は、ポリエステルを使用した従来の二重瞼形成用テープによる瞼の装着状態を示し、図７（ｂ）は、本発明の二重瞼形成用テープによる瞼の装着状態を示す。
【０１０５】
図７（ａ）に示すように、ポリエステル７０を使用した従来の二重瞼形成用テープは、圧縮強度が高いポリエステル７０を使用しているため、覆い被さる瞼を支えることができる。図７（ａ）に示すように、目５０の横方向の長さＬｅは、例えば、２６ｍｍである。しかしながら、目５０の横の長さと同じ長さの硬いポリエステル７０を貼り付けるために、瞼、特に、目の両端部分に違和感を感じてしまうことがある。
【０１０６】
医学雑誌、臨床眼科の１９７４年５月号の臨床報告に「日本人の眼瞼の形態および上眼瞼挙筋機能」と題する眼瞼の形態の調査報告が記載されている。「日本人の眼瞼の形態および上眼瞼挙筋機能」によれば、日本人の目の横径は、１６才以上の男女とも２６ｍｍ前後と報告されている。
【０１０７】
図７（ｂ）に示すように、本発明の二重瞼形成用テープ1は、伸縮テープ３のポリエチレン４と非伸縮層１５のポリエステル１６とが固定されている。上記調査報告を基に、非伸縮層１５の長手方向の長さＬ２は、２３ｍｍとして、目５０の横方向の長さＬｅの２６ｍｍ以下となっている。
【０１０８】
このように、調査報告を基に非伸縮層１５の長手方向の長さＬ２を２３ｍｍと定めたことにより、不快に感じるポリエステルの大きさを小さくすることができるため、瞼の違和感を和らげる効果を得ることが可能となる。また、奥二重での覆い被さる瞼を支えることができる。さらに、柔軟な素材であるポリエチレンを左右に設けることにより、個々に相違する目の形状（瞼の形状）に合わせて、貼り方を変更し、自然で綺麗な二重瞼を形成することが可能である。
【０１０９】
また、ポリエステル１６と瞼５１との間に、柔軟な素材であるポリエチレン４を介在させることにより、ポリエステル１６の復元作用を緩和することが可能となる。
【０１１０】
このように、伸縮テープ３のポリエチレン４と非伸縮層１５のポリエステル１６とは、粘着剤層６を介して固定されており、伸縮テープ３のポリエチレン４と非伸縮層１５のポリエステル１６の密着力は、大きなものとなっている。これにより、ポリエステル１６に覆われたポリエチレン４の箇所は、ポリエステル１６と一体となって、非伸縮層１５を形成する。
【０１１１】
非伸縮層１５の長手方向の長さは、目５０の横方向の長さ以下となっている。これにより、不快に感じるポリエステルの大きさを小さくすることが可能である。また、奥二重での覆い被さる瞼を支えることができる。
【０１１２】
以上述べたように、二重瞼形成用テープは、互いに貼り合わせられた２層の細長帯状の基材を備え、ポリエチレンからなる一方の基材はポリエステルからなる他方の基材よりも柔軟な素材によって構成され、ポリエステルからなる他方の基材は、ポリエチレンからなる一方の基材よりも長手方向が短く、ポリエチレンからなる一方の基材の長手方向中心部のみに貼り合わせられており、ポリエチレンからなる一方の基材は瞼の動きによって伸縮する素材により構成され、ポリエステルからなる他方の基材は瞼の動きによっては伸縮することのない素材によって構成したものである。
【０１１３】
これにより、本発明の二重瞼形成用テープは、厚い瞼、腫れぼったい瞼、奥二重瞼等の重量のある瞼（重い瞼）等を支えることができる。また、長時間瞼から剥離することがなく、長時間使用することが可能となる。
【０１１４】
以上述べたように、本発明の二重瞼形成用テープによれば、以下の効果を奏する。二重瞼形成用テープは、互いに貼り合わせられた２層の細長帯状の基材を備え、一方の基材（伸縮テープ）は瞼の動きによって伸縮する素材（より柔軟な素材）により構成され、他方の基材（非伸縮層）は瞼の動きによっては伸縮することのない素材（一方の基材よりも柔軟でない素材）によって構成されているため、開眼状態では、瞼の動きによっては伸縮することのない他方の基材によって、覆い被さる瞼を支え、閉眼状態では、瞼の動きによって伸縮する基材により、延びた瞼の皮膚に合わせて、伸縮する。従来のように伸縮することのない素材のみを使用した二重瞼形成用テープでは、瞼の両端にチクチク感を感じる。本発明の二重瞼形成用テープは、長手方向の両端部に伸縮する素材が配されているため、瞼の動きによって瞼の両端に配された素材が伸縮するため、瞼の両端でのチクチク感を解消することができる。これにより、使用者は、違和感を感じことがなく、自然な二重瞼を形成することが可能となる。
【０１１５】
また、本発明の二重瞼形成用テープは、互いに貼り合わせられた２層の細長帯状の基材を備え、一方の基材（伸縮テープ）は他方の基材（非伸縮層）よりも柔軟な素材によって構成され、他方の基材は、一方の基材よりも長手方向が短く、一方の基材の長手方向中心部のみに貼り合わせられており、長手方向の両端部が一方の基材のみによって構成されているため、柔軟な一方の基材を貼り合わせることにより、伸縮することのない他方の基材の復元作用を緩和することが可能となり、硬い基材のみを使用した二重瞼形成用テープのように、使用中に両端が浮いてきて剥がれることがなく、長時間装着して使用することが可能である。
【０１１６】
更に、本発明の二重瞼形成用テープは、長手方向の両端部が伸縮する一方の基材のみによって構成されているため、一方の基材の両端の保持（固定）によって伸縮しない他方の基材の両端が復元力によって使用中に浮いてきて剥がれることがより防止される。
【０１１７】
また、本発明の二重瞼形成用テープは、外周縁と内周縁によってアーチ状に湾曲した形状であり、瞼の二重ラインに沿うように外周縁の弧が湾曲しており、更に、目尻、目頭など目の両端部分は、より柔らかい素材からなる一方の素材が配されているため、瞼の動きによって一方の素材が伸縮するため、細い二重線を形成して自然な印象を醸し出すことができる。
【０１１８】
また、本発明の二重瞼形成用テープは、伸縮することがないため不快に感じる基材の大きさを、小さくすることが可能であるため、瞼の違和感を和らげることが可能である。さらに、柔軟な素材から成る基材を伸縮しない基材の左右に設けることにより、個々に相違する目の形状（瞼の形状）に合わせて、貼り方を変更し、自然で綺麗な二重瞼を形成することが可能である。
【０１１９】
また、本発明の二重瞼形成用テープは、伸縮テープの長手方向の中心に非伸縮層を設けたことにより、奥二重での覆い被さった瞼を持ち上げながら支えることができ、更に、目尻、目頭など目の両端部分は、より柔らかい素材からなる一方の素材により細い二重線（重瞼線）が形成することが可能である。
【０１２０】
以下に、出願人による先行技術調査において発見された先行技術文献と本発明との対比を説明する。
【０１２１】
特許文献１（実登３１１９１６２号公報）、特許文献２（実登３１５４１３９号公報）特許文献４（特開２０１４−５４５１９号公報）及び特許文献５（特開２００９−２２５９２号公報）は、硬い基材であるポリエステル、ポリプロピレンを使用したものである。
【０１２２】
しかしながら、脂肪分の多い腫れぼったい東アジア人の湾曲したまぶたでは、長時間貼り付けていると目尻、目頭の両端より、二重瞼形成テープが浮いてしまって剥がれること恐れがある。
【０１２３】
これにより、硬い基材の浮いた部分がチクチクするなどの使用上の不具合となる恐れもある。
【０１２４】
また、素材面からすると、伸縮テープの基材にポリエステル等の硬い素材のみを使用した二重瞼形成用テープは、装着して使用中に、復元力により両端が浮いてきて、剥がれる恐れがある。
【０１２５】
本発明の二重瞼形成用テープは、互いに貼り合わせられた２層の細長帯状の基材を備え、一方の基材は他方の基材よりも柔軟な素材によって構成され、他方の基材は、一方の基材よりも長手方向が短く、一方の基材の長手方向中心部のみに貼り合わせられているものである。
【０１２６】
本発明は、伸縮テープの長手方向の中心に非伸縮層を設けたことにより、奥二重での覆い被さった瞼を持ち上げながら支えることができ、更に、目尻、目頭など目の両端部分は、より柔らかい素材からなる一方の素材により細い二重線（重瞼線）が形成することが可能である。
【０１２７】
また、特許文献１、特許文献２の二重瞼形成用テープは、幅１．５ｍｍから２．０ｍｍ程度で硬い素材（ポリエステルやポリプロピレン）を使用したものである。しかしながら、特許文献１、特許文献２の部材は、硬い素材を使用しているため、まばたき等に伴う部材の柔軟な動きができない恐れがある。
【０１２８】
また、特許文献４、特許文献５における二重瞼形成品は、テープ素材の収縮を利用していないため、非延伸性ストリップ材からなる硬い素材（ポリエステルやポリプロピレン）では、瞼のまばたきの動きによって、湾曲した上瞼の上では長時間高密着することができない恐れがある。
【０１２９】
また、伸縮テープの基材にポリエステル等の硬い素材のみを使用した二重瞼形成用テープは、装着して使用中に、復元力により両端が浮いてきて、剥がれる恐れがある。
【０１３０】
本発明の二重瞼形成用テープは、互いに貼り合わせられた２層の細長帯状の基材を備え、一方の基材（伸縮テープ）は瞼の動きによって伸縮する素材（より柔軟な素材）により構成され、他方の基材（非伸縮層）は瞼の動きによっては伸縮することのない素材（一方の基材よりも柔軟でない素材）によって構成されているため、開眼状態では、瞼の動きによっては伸縮することのない他方の基材によって、覆い被さる瞼を支え、閉眼状態では、瞼の動きによって伸縮する基材により、延びた瞼の皮膚に合わせて、伸縮する。従来のように伸縮することのない素材のみを使用した二重瞼形成用テープでは、瞼の両端にチクチク感を感じる。本発明の二重瞼形成用テープは、長手方向の両端部に伸縮する素材が配されているため、瞼の動きによって瞼の両端に配された素材が伸縮するため、瞼の両端でのチクチク感を解消することができる。これにより、使用者は、違和感を感じことがなく、自然な二重瞼を形成することが可能となる。
【０１３１】
このように本発明の二重瞼形成用テープは、硬い素材のみを使用していないため、奥二重に対して瞼に違和感を与えることなしに、長時間使用することが可能であり、先行技術文献にはない特徴を有している。
【０１３２】
この発明は、その本質的特性から逸脱することなく数多くの形式のものとして具体化することができる。よって、上述した実施形態は専ら説明上のものであり、本発明を制限するものではないことは言うまでもない。
【符号の説明】
【０１３３】
１      二重瞼形成用テープ
３      伸縮テープ
４      基材（ポリエチレン）  
５、６、１７  粘着剤層
１５    非伸縮層
１６、７０  基材（ポリエステル）
１８    伸縮部
２０    粘着面保護シート
２１    剥離紙
２５    粘着面保護基材  
２６    剥離紙
５０    目
５１    瞼
５２    奥二重
６０    プッシャー
【図１】
2017217424.tif 000003
【図２】
2017217424.tif 000004
【図３】
2017217424.tif 000005
【図４】
2017217424.tif 000006
【図５】
2017217424.tif 000007
【図６】
2017217424.tif 000008
【図７】
2017217424.tif 000009